(57)【要約】【課題】  Ｘ線診断を行うために必要なＳＩＤを得るための手間を減らし、Ｘ線診断を円滑に行うことができるＸ線診断装置を提供することを目的とする。【解決手段】  Ｘ線絞り手段で絞られるＸ線の絞り幅を検出する絞り幅検出部４とＸ線フラットパネル検出器３で検出されたＸ線検出信号から、当該Ｘ線フラットパネル検出器３に照射されたＸ線のＸ線照射野の幅を算出するＸ線照射野算出部１０とを備え、これら絞り幅検出部４で検出されたＸ線の絞り幅とＸ線照射野算出部１０で算出されたＸ線照射野の幅とに基づいて、Ｘ線照射手段とＸ線フラットパネル検出器３との間の距離であるＳＩＤがＳＩＤ算出部１１で算出されるので、ＳＩＤを手動で測定する必要がない。つまり、Ｘ線診断を行うために必要なＳＩＤを得るための手間を減らし、Ｘ線診断を円滑に行うことができる。【選択図】        図２
2007044134.tif 000002
【特許請求の範囲】
【請求項１】
Ｘ線を照射するＸ線照射手段と、前記Ｘ線照射手段から照射されたＸ線を絞るＸ線絞り手段と、前記Ｘ線照射手段から照射され、前記Ｘ線絞り手段で絞られたＸ線を検出するＸ線フラットパネル検出器とを備えたＸ線診断装置において、
前記Ｘ線絞り手段で絞られるＸ線の絞り幅を検出する絞り幅検出手段と、
前記Ｘ線フラットパネル検出器で検出されたＸ線検出信号から、当該Ｘ線フラットパネル検出器に照射されたＸ線のＸ線照射野の幅を算出するＸ線照射野算出手段と、
前記絞り幅検出手段で検出されたＸ線の絞り幅と前記Ｘ線照射野算出手段で検出されたＸ線照射野の幅とに基づいて、前記Ｘ線照射手段と前記Ｘ線フラットパネル検出器との間の距離であるＳＩＤを算出するＳＩＤ算出手段と、
を備えていることを特徴とするＸ線診断装置。
【請求項２】
請求項１に記載のＸ線診断装置において、
被検体に関連する情報である患者情報を入力する入力手段と、
前記ＳＩＤ算出手段で算出されたＳＩＤと前記入力手段で入力された患者情報とを対応付けて記憶するＳＩＤ記憶手段と、
を備えていることを特徴とするＸ線診断装置。
【発明の詳細な説明】
【技術分野】
【０００１】
この発明は、Ｘ線フラットパネル検出器を用いたＸ線診断装置に係り、特に、Ｘ線照射手段とＸ線フラットパネル検出器との間の距離を求める技術に関する。
【背景技術】
【０００２】
Ｘ線診断装置でＸ線診断を行う場合に、Ｘ線照射手段とＸ線フラットパネル検出器との間の距離であるＳＩＤに基づいて、Ｘ線照射手段から照射されるＸ線線量を含むＸ線撮影条件が決定される。つまり、このＳＩＤの値により患者（被検体）へのＸ線による被曝量が異なることになる。また、ＳＩＤの値を得ることで、同撮影倍率でＸ線撮影を行うことができ、撮影された画像の比較が容易になるなど、ＳＩＤの値を求めることは重要な事項である。ここで、例えば患者が入院している病室などに移動させて使用する回診用Ｘ線診断装置では、Ｘ線フラットパネル検出器をＸ線診断装置本体から移動させ、患者が寝ているベッドと患者との間に配置される。このようなＸ線フラットパネル検出器を用いる場合のＳＩＤは、例えばメジャーなどを用いて手動的に測定されている（特許文献１参照）。
【特許文献１】特開平６−１１４０４４号公報
【発明の開示】
【発明が解決しようとする課題】
【０００３】
しかしながら、従来のＸ線診断装置では、次のような問題がある。すなわち、ＳＩＤを手動的に測定することは、非常に手間がかかるという問題がある。例えば、撮影技師が病室などの狭い場所で、Ｘ線照射手段とベッド上の配置されたＸ線フラットパネル検出器との間の距離であるＳＩＤを手動的に測定することは手間であり、またＳＩＤ測定のための時間が必要となる。
【０００４】
この発明は、このような事情に鑑みてなされたものであって、Ｘ線診断を行うために必要なＳＩＤを得るための手間を減らし、Ｘ線診断を円滑に行うことができるＸ線診断装置を提供することを目的とする。
【課題を解決するための手段】
【０００５】
この発明は、このような目的を達成するために、次のような構成をとる。
すなわち、請求項１に記載の発明は、Ｘ線を照射するＸ線照射手段と、前記Ｘ線照射手段から照射されたＸ線を絞るＸ線絞り手段と、前記Ｘ線照射手段から照射され、前記Ｘ線絞り手段で絞られたＸ線を検出するＸ線フラットパネル検出器とを備えたＸ線診断装置において、前記Ｘ線絞り手段で絞られるＸ線の絞り幅を検出する絞り幅検出手段と、前記Ｘ線フラットパネル検出器で検出されたＸ線検出信号から、当該Ｘ線フラットパネル検出器に照射されたＸ線のＸ線照射野の幅を算出するＸ線照射野算出手段と、前記絞り幅検出手段で検出されたＸ線の絞り幅と前記Ｘ線照射野算出手段で検出されたＸ線照射野の幅とに基づいて、前記Ｘ線照射手段と前記Ｘ線フラットパネル検出器との間の距離であるＳＩＤを算出するＳＩＤ算出手段と、を備えていることを特徴とするものである。
【０００６】
［作用・効果］請求項１の発明の作用は次のとおりである。
まず、Ｘ線フラットパネル検出器をＸ線診断装置本体から移動させて所定の位置に配置する。次に、Ｘ線照射手段からＸ線が照射され、このＸ線照射手段から照射されたＸ線は、Ｘ線絞り手段で絞られる。さらに、Ｘ線照射手段から照射され、Ｘ線絞り手段で絞られたＸ線は、Ｘ線フラットパネル検出器で検出する。ここで、絞り幅検出手段は、Ｘ線絞り手段で絞られたＸ線の絞り幅を検出する。また、Ｘ線照射野算出手段は、Ｘ線フラットパネル検出器で検出されたＸ線検出信号から、当該Ｘ線フラットパネル検出器に照射されたＸ線のＸ線照射野の幅を算出する。さらに、絞り幅検出手段で検出されたＸ線の絞り幅とＸ線照射野算出手段で検出されたＸ線照射野の幅とから、ＳＩＤ算出手段はＸ線照射手段とＸ線フラットパネル検出器との間の距離であるＳＩＤを算出する。
【０００７】
したがって、Ｘ線照射手段とＸ線フラットパネル検出器との間の距離であるＳＩＤがＳＩＤ算出手段で算出されるので、ＳＩＤを手動で測定する必要がない。つまり、Ｘ線診断を行うために必要なＳＩＤを得るための手間を減らし、Ｘ線診断を円滑に行うことができる。
【０００８】
また、請求項２の発明は、請求項１に記載のＸ線診断装置において、被検体に関連する情報である患者情報を入力する入力手段と、ＳＩＤ算出手段で算出されたＳＩＤと前記入力手段で入力された患者情報とを対応付けて記憶するＳＩＤ記憶手段と、を備えていることを特徴とするものである。
【０００９】
［作用・効果］請求項２の発明によれば、入力手段で被検体に関連する情報である患者情報を入力する。この入力手段で入力された患者情報とＳＩＤ算出手段で算出されたＳＩＤとを対応付けてＳＩＤ記憶手段は記憶する。
【００１０】
したがって、ＳＩＤ記憶手段でＳＩＤと患者情報とが関連付けられたものを記憶することができる。つまり、患者ごとに異なるＳＩＤを得ることができ、患者が異なる場合においてもＳＩＤを手動で測定する必要がない。つまり、Ｘ線診断を行うために必要なＳＩＤを得るための手間を減らし、Ｘ線診断を円滑に行うことができる。
【発明の効果】
【００１１】
本発明によれば、Ｘ線照射手段とＸ線フラットパネル検出器との間の距離であるＳＩＤがＳＩＤ算出手段で算出されるので、ＳＩＤを手動で測定する必要がない。つまり、Ｘ線診断を行うために必要なＳＩＤを得るための手間を減らし、Ｘ線診断を円滑に行うことができる。
【発明を実施するための最良の形態】
【００１２】
Ｘ線診断装置を図面に基づいて詳細に説明する。図１はＸ線診断装置の全体構成を示すブロック図である。図２は信号処理部と情報記憶部との構成を示すブロック図である。図３はＸ線管とコリメータとＸ線フラットパネル検出器との関係を示す模式図である。図４はコリメータリーフの構成を示す斜視図である。
【００１３】
Ｘ線診断装置の全体の構成について図１を用いて説明する。図１に示すように、Ｘ線診断装置は、Ｘ線を照射するＸ線管１と、Ｘ線管１から照射されたＸ線を絞るコリメータ２と、Ｘ線管１から照射され、コリメータ２で絞られたＸ線を検出するＸ線フラットパネル検出器３と、コリメータ２で絞られるＸ線の絞り幅を検出する絞り幅検出部４と、Ｘ線フラットパネル検出器３で検出されたＸ線検出信号に基づいて、種々の信号処理を行う信号処理部５と、信号処理部５で信号処理を行う情報を記憶および信号処理部５で信号処理された後の情報を記憶する情報記憶部６と、信号処理部５で処理された画像信号に基づくＸ線画像を制御部７の制御により表示する表示モニタ８などを備えた構成となっている。つまり、被検体ＭへのＸ線照射に伴ってＸ線フラットパネル検出器３から出力されたＸ線検出信号に基づいて、Ｘ線画像が作成され、このＸ線画像を表示モニタ８に表示される構成となっている。
【００１４】
さらに、信号処理部５は、図２に示すようにＸ線フラットパネル検出器３で検出されたＸ線検出信号に基づいて、Ｘ線画像を作成するための処理を行う画像処理部９と、画像処理部９で処理されたＸ線画像（投影像）の大きさから当該Ｘ線フラットパネル検出器３に照射されたＸ線のＸ線照射野の幅を算出するＸ線照射野算出部１０と、絞り幅検出部４で検出されたＸ線の絞り幅とＸ線照射野算出部１０で検出されたＸ線照射野の幅とに基づいて、Ｘ線管１とＸ線フラットパネル検出器３との間の距離であるＳＩＤを算出するＳＩＤ算出部１１とを備えている。
【００１５】
Ｘ線管１は、図１に示すように撮影対象としての被検体ＭにＸ線を照射するように配置されている。またＸ線管１は、入力部１２（例えば、キーボードやマウスなど）の操作に基づいて、制御部７がＸ線照射制御部１３を制御し、このＸ線照射制御部１３の制御により被検体ＭにＸ線を照射する。なお、上述したＸ線管１は、本発明におけるＸ線照射手段に相当する。
【００１６】
なお、「被検体Ｍ」は、Ｘ線診断される患者である被検者の体であることを示したものであり、さらに、「患者」の意味も含むものである。
【００１７】
コリメータ２は、図１に示すように、Ｘ線管１の下側に固定されるように取り付けられている。また、図３に示すように、このコリメータ２には、Ｘ線を絞るコリメータリーフ１４が備えられている。
【００１８】
コリメータリーフ１４は、図４に示すように、Ｘ方向のＸ線の幅を絞るＸ方向コリメータリーフ１５とＹ方向のＸ線の幅を絞るＹ方向コリメータリーフ１６とで構成されている。さらに、Ｘ方向コリメータリーフ１５は、２個のリーフ１５ａ，１５ｂで構成され、各リーフは、Ｘ方向に同期して開閉されるように構成されている。また、Ｙ方向コリメータリーフ１６においても、２個のリーフ１６ａ，１６ｂで構成され、各リーフは、Ｙ方向に同期して開閉されるように構成されている。これらリーフ１５ａ，１５ｂ，１６ａ，１６ｂは、鉛などのＸ線遮蔽部材で構成されており、Ｘ線管１内のＸ線焦点ＸＳから照射されたＸ線は、各リーフ１５ａ，１５ｂ，１６ａ，１６ｂによって遮蔽されることにより絞られる。そして、Ｘ方向コリメータリーフ１５とＹ方向コリメータリーフ１６とによって形成された開口部Ｋを通過したＸ線が被検体Ｍ（Ｘ線フラットパネル検出器３）に照射される。つまり、この開口部Ｋの大きさを変えることによりＸ線フラットパネル検出器３に照射されるＸ線のＸ線照射野を調整することができる。なお、図４中に示された斜線部は、Ｘ線管１のＸ線焦点ＸＳから照射されたＸ線がＸ線フラットパネル検出器３において照射される範囲であるＸ線照射野を示すものである。なお、上述したコリメータ２は、本発明におけるＸ線絞り手段に相当する。
【００１９】
また、コリメータリーフ１４のＸ方向コリメータリーフ１５とＹ方向コリメータリーフ１６との開閉は、コリメータリーフ駆動部１７により実現されている。コリメータリーフ駆動部１７は、Ｘ方向コリメータリーフ１５を駆動するＸ方向コリメータリーフ駆動部とＹ方向コリメータリーフ駆動部とがあり、ここでは、Ｘ方向コリメータリーフ駆動部について説明する。Ｘ方向コリメータリーフ１５の各リーフ１５ａ，１５ｂは、揺動部材を介して揺動支点を中心として揺動自在に支持されている。各揺動部材には、それぞれ長孔が形成されており、これら長孔には、プーリに掛け渡されたワイヤーに連結された部材が摺動自在に嵌め付けられている。モータの回転軸はプーリに接続され、ワイヤーはモータの正逆方向の回転によりＸ方向に往復移動され、それに伴い部材が長孔を摺動して揺動部材が揺動され、Ｘ方向コリメータリーフ１５の各リーフ１５ａ，１５ｂがＸ方向に開閉される構成である。なお、Ｙ方向コリメータリーフ駆動部もＸ方向コリメータリーフ駆動部と同様の構成により、Ｙ方向に開閉されるように構成されている。
【００２０】
絞り幅検出部４は、コリメータリーフ駆動部１７のモータの回転角度を検出することで、コリメータ２で絞られるＸ線の絞り幅を検出するものである。具体的には、コリメータリーフ駆動部１７のモータの回転角度は、角度検出器（例えば。ロータリーエンコーダなど）により回転角度検出される。ここで、この角度検出器で検出する回転角度と、Ｘ方向コリメータリーフ１５とＹ方向コリメータリーフ１６とにより形成される開口部Ｋの幅、つまり、Ｘ線管１から照射されたＸ線を絞る幅とは対応した関係となっている。したがって、ロータリーエンコーダでの回転角度検出に基づいて、Ｘ線管１から照射されたＸ線を絞る幅が検出される構成となっている。また、絞り幅検出部４は、検出した絞り幅を示すデータである絞り幅データをＳＩＤ算出部１１および制御部７に出力する構成となっている。なお、上述した絞り幅検出部４は、本発明における絞り幅検出手段に相当する。
【００２１】
Ｘ線フラットパネル検出器３は、このＸ線フラットパネル検出器３に入射したＸ線を検出し、この入射したＸ線を電気信号（Ｘ線検出信号）に変換して、このＸ線検出信号を処理する信号処理部５に出力する。また、このＸ線フラットパネル検出器３は、Ｘ線検出素子が検出面に縦横に配列された構成になっており、この一つのＸ線検出素子が配置された領域が一つの検出領域となる。例えば、Ｘ線検出素子は、Ｘ線検出面に縦１０２４×横１０２４のマトリックスで縦横に配列されている。また、このＸ線フラットパネル検出器３は、持ち運び可能な可搬形であり、外形は約３０ｃｍ×３０ｃｍの大きさのものが例示される。このようなＸ線フラットパネル検出器３がＸ線撮影技師などにより、Ｘ線管１と被検体Ｍを挟んで対向するようにベッドＢ上に配置されている。
【００２２】
Ｘ線照射野算出部１０は、Ｘ線フラットパネル検出器３で検出されたＸ線検出信号に基づいて画像演算処理部で処理されたＸ線画像（投影像）の大きさ（例えば、図４に示す斜線部）から、当該Ｘ線フラットパネル検出器に照射されたＸ線のＸ線照射野の幅を算出する。また、Ｘ線照射野算出部１０は、算出したＸ線照射野の幅を示すデータであるＸ線照射野幅データをＳＩＤ算出部１１および制御部７に出力する構成となっている。なお、上述したＸ線照射野算出部１０は、本発明におけるＸ線照射野算出手段に相当する。
【００２３】
ＳＩＤ算出部１１は、絞り幅検出部４からの絞り幅データを入力し、さらにＸ線撮影が行われた場合に入力されるＸ線照射野算出部１０からのＸ線照射野幅データとに基づいてＸ線管１（詳細には、Ｘ線管１の焦点（Ｘ線焦点ＸＳ））とＸ線フラットパネル検出器３との間の距離であるＳＩＤを算出する構成となっている。また、ＳＩＤ算出部１１は、算出したＳＩＤを示すデータであるＳＩＤデータを制御部７に出力する構成となっている。なお、上述したＳＩＤ算出部１１は、本発明におけるＳＩＤ算出手段に相当する。
【００２４】
さらに、ＳＩＤ算出部１１での具体的なＳＩＤの算出方法について、図３を用いて以下に説明する。図４はＳＩＤを算出するためのＸ線管１とコリメータ２とＸ線フラットパネル検出器３との距離を示した模式図である。図４ではＸ線管１のＸ線焦点をＸＳとし、Ｘ線管１とコリメータ２（コリメータリーフ１４）との距離をＤｃｃとし、コリメータリーフ１４とＸ線フラットパネル検出器３との距離をＤｃｄとし、コリメータリーフ１４の開口部Ｋ（図４参照）の幅（絞り幅データ）をＤｃとし、Ｘ線フラットパネル検出器３でのＸ線照射野の幅（Ｘ線照射野幅データ）をＤｄとしている。ここで、Ｘ線管１とＸ線フラットパネル検出器３との間の距離はＤｃｃ＋Ｄｃｄとなる。つまり、ＳＩＤは、Ｄｃｃ＋Ｄｃｄである。また、図４に示すようにＤｃとＤｄとは、同じ方向（ここではＸ方向）の幅を示すものである。
【００２５】
これらＤｃｃ，Ｄｃｄ，Ｄｃ，Ｄｄとの関係は、図３において、Ｘ線焦点ＸＳを頂点とし底辺をＤｃ、高さをＤｃｃとする三角形Ｔ１と、Ｘ線焦点ＸＳを頂点とし底辺をＤｄ、高さを（Ｄｃｃ＋Ｄｃｄ）とする三角形Ｔ２とで表される。これら三角形Ｔ１と三角形Ｔ２とは相似であることから、三角形Ｔ１の高さであるＤｃｃと三角形Ｔ２の高さである（Ｄｃｃ＋Ｄｃｄ）との比は、
Ｄｃｃ：（Ｄｃｃ＋Ｄｃｄ）＝Ｄｃ：Ｄｄとして示すことができる。
ここで、（Ｄｃｃ＋Ｄｃｄ）は、ＳＩＤであることから、
Ｄｃｃ：ＳＩＤ＝Ｄｃ：Ｄｄとなる。
つまり、ＳＩＤ＝（Ｄｃｃ×Ｄｄ）／Ｄｃ
の式によりＳＩＤを算出することができる。
【００２６】
次に、制御部７は、入力されたＸ線照射野幅データと絞り幅データとＳＩＤデータとを入力部１２で入力された被検体Ｍに関連する情報である患者情報とを対応付ける処理行い、これら処理された後のＸ線照射野幅データと絞り幅データと情報記憶部６に記憶する制御を行う。なお、患者情報とは、氏名（患者ＩＤ番号），生年月日，性別，血液型，住所，病室，担当医など患者に関連する情報である。
【００２７】
さらに、情報記憶部６は、上述した患者情報とを対応付けたＸ線照射野幅データを記憶するＸ線照射野メモリ１８と、患者情報とを対応付けた絞り幅データを記憶する絞り幅メモリ１９と、患者情報とを対応付けたＳＩＤ算出部１１で算出されたＳＩＤデータを記憶するＳＩＤメモリ２１を備え、また、Ｘ線管１とコリメータ２（コリメータリーフ１４）との距離Ｄｃｃを記憶するＤｃｃメモリ２０とを備えている。なお、Ｘ線管１とコリメータ２とは、固定されるように取り付けられているので、Ｘ線管１とコリメータ２（コリメータリーフ１４）との距離Ｄｃｃは変化することのない既知の値であり、このＤｃｃは、予め情報記憶部６のＤｃｃメモリ２０に記憶されている。なお、上述したＳＩＤメモリ２１は、本発明におけるＳＩＤ記憶手段に相当する。
【００２８】
また、Ｘ線診断（Ｘ線撮影）の終了後、例えば、次回のＸ線診断において、入力部１２で診断を行う患者情報を入力すると自動的に、制御部７が該当する患者情報と対応付けられたＤｃｃ，Ｄｄ，Ｄｃ，ＳＩＤの値を情報記憶部６から読み出し、さらに、これら患者情報と対応付けられたＤｃｃ，Ｄｄ，Ｄｃ，ＳＩＤの値を表示モニタ８で表示し、回診者がこの表示モニタ８で表示された内容と同じ設定を行うことが可能である構成となっている。
【００２９】
次に、ＳＩＤ算出部１１でＳＩＤが算出される流れについて説明する。まず、ここでのＸ線診断装置は、病院の病室などに移動可能な回診用Ｘ線診断装置について例示して説明する。回診者（Ｘ線撮影技師など）は、回診用Ｘ線診断装置を被検体Ｍが寝ているベッドＢの横まで移動させ、可搬形のＸ線フラットパネル検出器３をＸ線診断装置の本体から移動させてベッドＢと被検体Ｍの間に載置する。さらに、被検体Ｍの撮影を行いたい部位に対して撮影できるように、入力部１２での操作に基づいて、制御部７がＸ線管駆動部２２を制御することでＸ線管１の高さを適当に調整し、また入力部１２での操作に基づいて、制御部７がコリメータリーフ駆動部１７を制御することでコリメータ２のコリメータリーフ１４の開口部Ｋの幅（Ｘ線の絞り幅）を適当に調整する。ここで、絞り幅検出部４は、絞り幅を検出し、この検出された絞り幅データをＳＩＤ算出部１１および制御部７に出力する。
【００３０】
また、制御部７は、入力された絞り幅データを入力部１２で入力された被検体Ｍに関連する情報である患者情報とを対応付ける処理行い、これら処理された後の絞り幅データを情報記憶部６の絞り幅メモリ１９に記憶する制御が行われる。
【００３１】
さらに、入力部１２でＸ線診断を行う被検体Ｍの患者情報を入力し、この後に入力部１２で所定のＸ線撮影条件にて、Ｘ線撮影を行う指示の操作を行うことで、制御部７がＸ線照射制御部１３を制御し、Ｘ線撮影が行われる。なお、Ｘ線撮影条件とはＸ線管１の管電圧、管電流時間積などである。
【００３２】
具体的には、Ｘ線撮影を行う指示が行われたことで、Ｘ線管１からＸ線が照射され、コリメータ２のコリメータリーフ１４により形成された開口部ＫをＸ線が通過し、さらに、Ｘ線フラットパネル検出器３は、このＸ線のうち被検体Ｍを透過したＸ線をＸ線検出信号として検出する。また、画像処理部９は、このＸ線検出信号に基づいてＸ線画像を作成するための処理を行い、Ｘ線照射野算出部１０では、画像処理部９で処理されたＸ線画像（投影像）の大きさからＸ線フラットパネル検出器３に照射されたＸ線のＸ線照射野の幅（Ｘ線照射野幅データ）を算出し、ＳＩＤ算出部１１および制御部７に出力される。
【００３３】
また、制御部７は、入力されたＸ線照射野幅データを入力部１２で入力された被検体Ｍに関連する情報である患者情報とを対応付ける処理行い、これら処理された後のＸ線照射野幅データを情報記憶部６のＸ線照射野メモリ１８に記憶する制御を行う。
【００３４】
次に、ＳＩＤ算出部１１は、絞り幅検出部４から出力された絞り幅データ（Ｄｃ）と、Ｘ線照射野算出部１０から出力されたＸ線照射野幅データ（Ｄｄ）と、情報記憶部６のＤｃｃメモリ２０に記憶されているＤｃｃとから、ＳＩＤを算出する式に基づく演算処理を行い、ＳＩＤを算出する。さらに、ＳＩＤ算出部１１は、算出されたＳＩＤデータを制御部７に出力し、制御部７は、ＳＩＤ算出部１１で算出されたＳＩＤデータを患者情報とを対応付ける処理を行い、情報記憶部６のＳＩＤメモリ２１に記憶させる制御を行う。
【００３５】
また、Ｘ線診断（Ｘ線撮影）を終了し、次にＸ線診断を行う場合において、入力部１２で診断を行う患者情報を入力すると自動的に、制御部７が該当する患者情報と対応付けられたＤｄ，Ｄｃ，ＳＩＤの値を情報記憶部６から読み出す。さらに、これら患者情報と対応付けられたＤｄ，Ｄｃ，ＳＩＤの値を表示モニタ８で表示される。ここで、回診者が前回と同じ照射野サイズ（同撮影倍率）で撮影したい場合などにおいて、表示モニタ８で表示されている内容通りの設定を行う操作を入力部１２で行うことにより、制御部７はＸ線管駆動部２２を前回のＸ線管１の高さ（前回と同じＳＩＤ）に駆動するように制御し、また、制御部７はコリメータ駆動部を前回設定されたコリメータリーフ１４の開口部Ｋの幅（Ｘ線の絞り幅）に駆動するように制御する。
【００３６】
結果として、前回行われたＸ線診断と同じ照射野サイズ（同撮影倍率）で撮影することが容易となり、Ｘ線撮影後における診断において、前回撮影された撮影画像との比較を行い、病状の変化を容易に知ることができ、今後の治療に役立たせることになる。
【００３７】
上述したようにＸ線診断装置によれば、Ｘ線管１とＸ線フラットパネル検出器３との間の距離であるＳＩＤがＳＩＤ算出部１１で算出されるので、ＳＩＤを手動で測定する必要がない。つまり、Ｘ線診断を行うために必要なＳＩＤを得るための手間を減らし、Ｘ線診断を円滑に行うことができる。
【００３８】
また、ＳＩＤメモリ２１でＳＩＤと患者情報とが関連付けられたものを記憶することができる。つまり、患者ごとに異なるＳＩＤを得ることができ、患者が異なる場合においてもＳＩＤを手動で測定する必要がない。つまり、Ｘ線診断を行うために必要なＳＩＤを得るための手間を減らし、Ｘ線診断を円滑に行うことができる。
【００３９】
この発明は、上記実施形態に限られることはなく、下記のように変形実施することができる。
【００４０】
（１）上述した実施例において、情報記憶部６は、ＳＩＤ算出部１１でＳＩＤを算出するための情報およびＳＩＤ算出部１１で算出されたＳＩＤを記憶するようにしていたが、これら以外に、制御部７がＸ線管１から照射されたＸ線の管電圧、管電流時間積、撮影部位、ＳＩＤなどの情報から被検体Ｍに照射した被曝量を算出する処理を行い、情報記憶部６は、この被検体Ｍに関する患者情報と被曝量とを対応付けて記憶するようにしてもよい。この結果、被検体Ｍに対する被曝量を管理することができ、被検体ＭへのＸ線の影響を考慮したＸ線診断を行うことができる。
【図面の簡単な説明】
【００４１】
【図１】Ｘ線診断装置の全体構成を示すブロック図である。
【図２】信号処理部と情報記憶部との構成を示すブロック図である。
【図３】Ｘ線管とコリメータとＸ線フラットパネル検出器との関係を示す模式図である。
【図４】コリメータリーフの構成を示す斜視図である。
【符号の説明】
【００４２】
１  …Ｘ線管（Ｘ線照射手段）
２  …コリメータ（Ｘ線絞り手段）
３  …Ｘ線フラットパネル検出器
４  …絞り幅検出部（絞り幅検出手段）
１０  …Ｘ線照射野算出部（Ｘ線照射野算出手段）
１１  …ＳＩＤ算出部（ＳＩＤ算出手段）
１２  …入力部（入力手段）
２１  …ＳＩＤメモリ（ＳＩＤ記憶手段）
【図１】
2007044134.tif 000003
【図２】
2007044134.tif 000004
【図３】
2007044134.tif 000005
【図４】
2007044134.tif 000006